(57)【要約】【課題】汚物が溜水部の溜水面に浮きあがり、臭いを発生させること又は次回にトイレ装置を使用する使用者に不快感を与えることを防ぐことができるトイレ装置を提供する。【解決手段】トイレ装置１は、ボウル形状の汚物受け面を備えたボウル部１０と、給水部４と、ボウル部と連通する排水トラップ管路１２と、溜水面を形成するように、ボウル部と排水トラップ管路との間に溜水を貯溜する溜水部１４と、溜水部に貯留された溜水内に配置され且つ溜水部内で汚物を粉砕する粉砕部２６と、溜水部と排水トラップ管路との間に設けられ且つ溜水部内で粉砕された汚物を洗浄水とともに排水トラップ管路を介して排出するインペラ３４を備えた遠心ポンプ２０と、遠心ポンプの停止時に遠心ポンプに付着した汚物が剥離したとき、剥離した汚物が遠心ポンプ２０から溜水部１４の溜水面Ｗ０に浮き上がることを阻止する規制機構と、を備える。【選択図】図２
2018204220.tif 000002
【特許請求の範囲】
【請求項１】
汚物を粉砕して排出するトイレ装置であって、
上方に向けて開口したボウル形状の汚物受け面を備えたボウル部と、
上記ボウル部に洗浄水を供給する給水部と、
上記ボウル部と連通する排水トラップ管路と、
上記ボウル部下方に溜水面を形成するように、上記ボウル部と上記排水トラップ管路との間に溜水を貯溜する溜水部と、
上記溜水部に貯留された溜水内に配置され且つ上記溜水部内で汚物を粉砕する粉砕部と、
上記溜水部と上記排水トラップ管路との間に設けられ且つ上記溜水部内で粉砕された汚物を洗浄水とともに上記排水トラップ管路を介して排出するインペラを備えた遠心ポンプと、
上記遠心ポンプの停止時に上記遠心ポンプに付着した汚物が剥離したとき、剥離した汚物が上記溜水部の上記溜水面に浮き上がることを阻止する規制機構と、
を備えることを特徴とする、トイレ装置。
【請求項２】
上記規制機構は、上記遠心ポンプの上記インペラから浮き上がった汚物を、上記遠心ポンプより下流側の上記排水トラップ管路の内部に導くように形成される、請求項１に記載のトイレ装置。
【請求項３】
上記規制機構は、上記遠心ポンプの上記インペラの上方に入口を設けた上記排水トラップ管路を有する、請求項２に記載のトイレ装置。
【請求項４】
上記規制機構は、上記溜水部と上記遠心ポンプとの間に配置されたフィルタを有する、請求項１乃至３の何れか一項に記載のトイレ装置。
【請求項５】
上記規制機構は、
上記遠心ポンプの縦置きに配置されたインペラと、
上記インペラを内部に配置するポンプ室と、
上記ポンプ室の上方に入口を設けた上記排水トラップ管路とを有する、請求項１乃至４の何れか一項に記載のトイレ装置。
【発明の詳細な説明】
【技術分野】
【０００１】
本発明は、トイレ装置に係り、特に、汚物を粉砕して排出するトイレ装置に関する。
【背景技術】
【０００２】
従来から、特許文献１に示すように、トイレへの移動がやや困難な身体状態の使用者のために、使用者の居室内のベッドサイド等に配置可能なトイレ装置として、圧送式トイレ装置が提案されている。特許文献１に示す圧送式トイレ装置は、トラップの下流側に位置する粉砕室内に設けられた粉砕部による水流の攪拌により汚物を粉砕し、粉砕した汚物を圧送手段により汚水とともに圧送して排水するようになっている。
【先行技術文献】
【特許文献】
【０００３】
【特許文献１】特開２０１３−２０４３８７号
【特許文献２】特開２００１−２７５８８５号
【発明の概要】
【発明が解決しようとする課題】
【０００４】
しかしながら、特許文献１に示す圧送式トイレ装置においては、汚物を粉砕するための粉砕室をトラップの下流側に設けるスペースが必要であり、圧送式トイレ装置が大型化してしまうという問題がある。
【０００５】
そこで、特許文献２に示すように、粉砕室を設けない水洗ポータブルトイレ装置が提案されている。特許文献２に示す水洗ポータブルトイレ装置では、粉砕部を溜水の中の下方の位置に配置することにより、汚物を粉砕するための粉砕室を別途設けるスペースが不要となるため、水洗ポータブルトイレ装置をコンパクトにすることができる。
【０００６】
しかしながら、特許文献２に示す水洗ポータブルトイレ装置では、便容器の下方の流路に圧送部が設けられ、この圧送部により汚物や汚水を圧送している。このため、圧送部が溜水面と連通するように配置されることとなる。このとき、流路が狭くなるため汚物が付着しやすい圧送部に付着した汚物が、圧送終了後に浮力により圧送部から剥がれて逆流し、溜水面に浮きあがるという問題があった。特に、水洗ポータブルトイレ装置は、使用者の居室内に配置されるものであるため、汚物が溜水面に浮き上がることで汚物の臭いが発生する場合、使用者に不快感を与えることとなる。また、次回の使用時に溜水面に汚物が浮いている状態となっている場合にも使用者に不快感を与えることとなる。
【０００７】
そこで、本発明は、上述した課題を解決するためになされたものであり、汚物が溜水部の溜水面に浮きあがり、臭いを発生させること又は次回にトイレ装置を使用する使用者に不快感を与えることを防ぐことができるトイレ装置を提供することを目的とする。
【課題を解決するための手段】
【０００８】
上述した目的を達成するために、本発明は、汚物を粉砕して排出するトイレ装置であって、上方に向けて開口したボウル形状の汚物受け面を備えたボウル部と、ボウル部に洗浄水を供給する給水部と、ボウル部と連通する排水トラップ管路と、ボウル部下方に溜水面を形成するように、ボウル部と排水トラップ管路との間に溜水を貯溜する溜水部と、溜水部に貯留された溜水内に配置され且つ溜水部内で汚物を粉砕する粉砕部と、溜水部と排水トラップ管路との間に設けられ且つ溜水部内で粉砕された汚物を洗浄水とともに排水トラップ管路を介して排出するインペラを備えた遠心ポンプと、遠心ポンプの停止時に遠心ポンプに付着した汚物が剥離したとき、剥離した汚物が溜水部の溜水面に浮き上がることを阻止する規制機構と、を備える。
このように構成された本発明においては、規制機構が、遠心ポンプに付着した汚物が遠心ポンプの停止時に剥離したとき、剥離した汚物が遠心ポンプから溜水部の溜水面に浮き上がることを阻止する。従って、遠心ポンプの停止時に、汚物が溜水部の溜水面に浮きあがり、臭いを発生させること又は次回にトイレ装置を使用する使用者に不快感を与えることを防ぐことができる。
【０００９】
本発明において、好ましくは、規制機構は、遠心ポンプのインペラから浮き上がった汚物を、遠心ポンプより下流側の排水トラップ管路の内部に導くように形成される。
なお、規制機構が剥離した汚物が溜水面に浮きあがることを阻止するように流路の途中に凹部を形成する構造も検討される。本発明の構成によれば、凹部を形成する構造に比べて、この凹部に汚物が滞留したり流れの圧力損失を生じたりすることがない。従って、規制機構が遠心ポンプのインペラから浮き上がる汚物を遠心ポンプより下流側の排水トラップ管路の内部に導く構造において、より汚物の排出性能を高めることができる。さらに、規制機構が、剥離した汚物を排水トラップ管路の内部に導くので、溜水部の溜水面に浮き上がることを阻止することができる。
【００１０】
本発明において、好ましくは、規制機構は、遠心ポンプのインペラの上方に入口を設けた排水トラップ管路を有する。
このように構成された本発明においては、規制機構は、遠心ポンプのインペラの上方に入口を設けた排水トラップ管路を有する。従って、トイレ装置の構造を複雑にすることなく、比較的簡易的な構成により、規制機構が、剥離した汚物を排水トラップ管路の溜水面に導き、剥離した汚物が遠心ポンプから溜水部の溜水面に浮き上がることを阻止することができる。
【００１１】
本発明において、好ましくは、規制機構は、溜水部と遠心ポンプとの間に配置されたフィルタを有する。
このように構成された本発明においては、遠心ポンプの停止時に遠心ポンプに付着した汚物が剥離したとき、仮に、剥離した汚物が遠心ポンプから溜水部側に流れてしまった場合においても、フィルタが剥離した汚物が溜水部の溜水面に浮き上がることを阻止することができる。
【００１２】
本発明において、好ましくは、規制機構は、遠心ポンプの縦置きに配置されたインペラと、インペラを内部に配置するポンプ室と、ポンプ室の上方に入口を設けた排水トラップ管路とを有する。
このように構成された本発明においては、規制機構は、縦置きのインペラを配置するポンプ室と、このポンプ室の上方に入口を設けた排水トラップ管路とを有する。従って、横置きのインペラの上方に排水トラップ管路の入口を設け、遠心ポンプの電動モーターが横置きのインペラの上又は下に配置される場合と比べて、縦置きのインペラを配置する際の遠心ポンプの鉛直方向の高さを抑えることができ、トイレ装置の高さを抑えることができる。よって、溜水部と排水トラップ管路との間に設けられる遠心ポンプによりトイレ装置の便座の高さが高くなることを防止することができる。従って、トイレ装置の便座の高さが高くなることを防止する構成を採用しながらインペラ及びポンプ室から剥離した汚物を排水トラップ管路の溜水面に導くことができる。
【発明の効果】
【００１３】
本発明のトイレ装置によれば、汚物が溜水部の溜水面に浮きあがり、臭いを発生させること又は次回にトイレ装置を使用する使用者に不快感を与えることを防ぐことができる。
【図面の簡単な説明】
【００１４】
【図１】本発明の第１実施形態によるポータブルトイレ装置を後方斜め上方から見た全体斜視図である。
【図２】本発明の第１実施形態によるポータブルトイレ装置を示す断面図である。
【図３】本発明の第１実施形態によるポータブルトイレ装置の粉砕装置の回転体を示す側面図である。
【図４】本発明の第１実施形態によるポータブルトイレ装置の粉砕装置の回転体を下方から見た底面図である。
【図５】図２に示すポータブルトイレ装置に使用者が排泄し、汚物がボウル部内に入った状態を概略的に示す図である。
【図６】図２に示すポータブルトイレ装置において、洗浄動作が実行される状態を概略的に示す図である。
【図７】図２に示すポータブルトイレ装置において、溜水面の水位を所定水位まで下げるように洗浄水を排水させる水位下げ動作が実行される状態を概略的に示す図である。
【図８】図２に示すポータブルトイレ装置において、汚物の粉砕動作が実行される状態を概略的に示す図である。
【図９】図２に示すポータブルトイレ装置において、洗浄水の圧送動作が実行される状態を概略的に示す図である。
【図１０】図２に示すポータブルトイレ装置において、溜水を形成するように洗浄水を給水する給水動作が実行される状態を概略的に示す図である。
【図１１】本発明の第２実施形態によるトイレ装置を後方斜め上方から見た全体斜視図である。
【図１２】本発明の第２実施形態によるトイレ装置を示す断面図である。
【発明を実施するための形態】
【００１５】
次に、添付図面を参照して、本発明の第１実施形態によるポータブルトイレ装置について説明する。最初に、図１乃至図４により、本発明の第１実施形態によるポータブルトイレ装置の全体構造を説明する。なお、図２において、排水トラップ管路１２内の流路をわかりやすく示すため、排水トラップ管路１２を上昇管１２ａに沿って斜めに切断した断面により図示している。
【００１６】
図１に示すように、本発明の第１実施形態によるポータブルトイレ装置１は、便所以外の場所にも配置できる水洗式の便器装置であり、戸建て住宅、高齢者施設又は病院等（以下「建物」と称する）において、通常のトイレ空間以外の場所、例えば、介護用に使用者の居室、寝室内のベッドサイド等に配置されるトイレ装置として使用される。高齢者や病気の人などで、トイレまで歩いていくことが困難又は比較的負担に感じる人にも、自分で居室において使用することができる水洗式の便器装置となっている。
【００１７】
ポータブルトイレ装置１は、便器本体２と、便器本体２に洗浄水を供給する給水部４と、便器本体２を支持するフレーム６と、を備えている。
【００１８】
また、ポータブルトイレ装置１は、移動可能な非据え付け型の装置である。ポータブルトイレ装置１は、フレーム６のフレーム基部６ｂが床Ｆに固定されておらず、使用者又は事業者等によって車輪１ａ等を利用して移動可能に形成されている。
【００１９】
給水部４は、建物側の給水設備と可撓性の給水管８を介して接続されている。給水部４は、便器本体２の後方上部に設けられ、ボウル部１０に形成された吐水口１０ｃからボウル部１０に洗浄水を供給する。なお、給水部４は、貯水タンクから洗浄水を供給するタンク方式のものであってもよい。
【００２０】
図２に示すように、便器本体２は、便器本体２の前方側に設けられた汚物を受けるボウル部１０と、ボウル部１０の底部と連通するように設けられて汚物を洗浄水と共に排出する排水トラップ管路１２と、ボウル部１０下方に形成された溜水部１４と、を備えている。便器本体２のボウル部１０の上面には、使用者が座る便座（図示せず）が設けられている。
【００２１】
ボウル部１０は、上方に向けて開口したボウル形状の汚物受け面１０ｄを備えている。排水トラップ管路１２は、その入口１２ｂから斜め上方に延びる上昇管１２ａ（図１１の上昇管１２ａと同様に図２においても上昇管１２ａは紙面と垂直な方向に傾斜している）を有し、排水トラップを形成する。排水トラップ管路１２は、建物側の排水設備と可撓性の排水管１６を介して接続されている。粉砕された汚物は、排水トラップ管路１２から排水管１６を介して排出される。排水管１６は排水ホース等により形成される。
【００２２】
溜水部１４は、ボウル部１０下方に形成されている。溜水部１４は、ポンプ室３２を介して排水トラップ管路１２と連通している。溜水部１４は、ボウル部１０下方に溜水面Ｗ０（待機状態の溜水面）を形成するように、ボウル部１０と排水トラップ管路１２との間に溜水を貯溜する。
【００２３】
図２に示すように、ポータブルトイレ装置１は、さらに、汚物を粉砕する粉砕装置１８と、この粉砕された汚物を排水管１６に圧送する圧送装置２０（遠心ポンプ）と、粉砕装置１８と圧送装置２０との間に設けられるフィルタ２２と、使用者が操作する操作部（図示せず）と、ポータブルトイレ装置１の洗浄動作及び粉砕圧送動作等を制御する制御部２４と、溜水部１４のフィルタ２２の下部から後方側に水平に延びる横方向流路２５と、を備えている。
【００２４】
粉砕装置１８は、洗浄水及び汚物等を攪拌する水流を発生させることにより汚物を粉砕する。粉砕装置１８は、溜水部１４に貯留された溜水内に配置され、且つボウル部１０後方の下方側且つ溜水部１４の上部側に設けられる。この粉砕装置１８は、溜水部１４内に汚物を粉砕する回転流を発生させる回転体２６（粉砕部）と、回転体２６の回転軸２８と、回転体２６及び回転軸２８を駆動させる電動モーター３０とを備えている。
【００２５】
回転体２６は、溜水部１４内の溜水面Ｗ０より下方の溜水中に配置されている。さらに、図３及び図４に示すように、回転体２６は、円盤状の基部２６ｂを形成し、この基部２６ｂの下側の表面には、下方に立ち上がる複数の突起２６ａが形成されている。これらの突起２６ａにより水流及び汚物が撹拌され、回転流が形成される。なお、回転体２６は、カッター等の刃により物理的に汚物を粉砕する粉砕部であってもよい。
【００２６】
回転軸２８は、その上部が電動モーター３０に取り付けられ、鉛直方向下方に延び、その下部が回転体２６の中心に取付けられている。回転軸２８は、溜水部１４を貫通して回転体２６まで延び、電動モーター３０の駆動力を回転体２６まで直接的に伝達している。なお、回転軸２８に代えて、回転軸は、溜水部１４の天井面を貫通しないように、マグネット等を利用した非接触式の回転伝達機構により形成され、電動モーター３０の駆動力を溜水部１４を介して回転体２６まで間接的に伝達するように構成されていてもよい。電動モーター３０は、ＤＣブラシレスモーターであり、可変速制御が可能となっている。
【００２７】
圧送装置２０は、高揚程が実現可能な遠心式ポンプを形成している。圧送装置２０は、回転する羽根車を構成するインペラ３４と、インペラ３４を収容するケーシングを構成するポンプ室３２と、インペラ３４を回転させる回転軸３６と、インペラ３４及び回転軸３６を駆動させる電動モーター３８とを備えている。
【００２８】
インペラ３４は、回転軸３６を中心として回転されるようになっている。インペラ３４は、円盤形状の円盤部３４ａと、円盤部３４ａから部分的に突出して設けられた突起部３４ｂとを備えている。インペラ３４の回転によって発生する遠心力により、汚物及び洗浄水がポンプ室３２から排水トラップ管路１２に向かって比較的強力に押し出され、且つ圧送される。
【００２９】
ポンプ室３２は、インペラ３４を内部に配置する。ポンプ室３２の中央部には、ポンプ室３２の入口３２ａが形成され、この入口３２ａに横方向流路２５が接続される。ポンプ室３２の上部の外周部には、ポンプ室３２の出口３２ｂが形成され、この出口３２ｂに排水トラップ管路１２の入口１２ｂが接続される。この排水トラップ管路１２の上昇管１２ａはポンプ室３２の外周の接線方向に延びている。
【００３０】
回転軸３６は、便器本体２の前後方向に延びるように横向きに配置されている。回転軸３６は、その基部が電動モーター３８に取り付けられ、その先端が円盤部３４ａの中心に取付けられている。回転軸３６は、ポンプ室３２を貫通してインペラ３４まで延び、電動モーター３８の駆動力をインペラ３４まで直接的に伝達している。なお、回転軸３６に代えて、回転軸は、ポンプ室３２の側壁を貫通しないように、マグネット等を利用した非接触式の回転伝達機構により形成され、電動モーター３８の駆動力をポンプ室３２を介してインペラ３４まで間接的に伝達するように構成されていてもよい。電動モーター３８は、ＤＣブラシレスモーターであり、可変速制御が可能となっている。
【００３１】
フィルタ２２は、粉砕装置１８の下方の溜水部１４の底面に配置される。フィルタ２２は、溜水部１４と圧送装置２０との間、好ましくは溜水部１４と横方向流路２５との間に配置されている。フィルタ２２は、所定の大きさの多数の通過開口２２ａを形成する。所定以下の大きさに粉砕された汚物のみが通過開口２２ａを通過することができ、一方、所定の大きさより大きな汚物は通過が規制されて溜水部１４内のフィルタ２２上に残る。
【００３２】
制御部２４は、使用者による操作部の操作又は自己の設定により、給水部４、粉砕装置１８及び圧送装置２０を制御する。制御部２４は、これらの制御を行うためのＣＰＵ、メモリ等を内蔵している。制御部２４は、給水部４、粉砕装置１８及び圧送装置２０等と電気的に接続され、これらの装置等に作動信号を送り、各装置等を作動させるようになっている。
【００３３】
横方向流路２５は、溜水部１４の下部からポンプ室３２の入口３２ａまで横方向に延びる。横方向流路２５の天井面もポンプ室３２の入口３２ａからほぼ水平に延びる。
【００３４】
次に、図２により、ポータブルトイレ装置１の規制機構について説明する。
本実施形態において、インペラ３４は、圧送装置２０において縦置きに配置されている。ポンプ室３２は、縦置きのインペラ３４を内部に配置している。ポンプ室３２内には、インペラ３４から延びる回転軸３６のポンプ室３２内の部分が配置される。排水トラップ管路１２は、圧送装置２０より下流側且つポンプ室３２の上方側に入口１２ｂを設けている。横方向流路２５は、ポンプ室３２の入口３２ａに接続される。フィルタ２２は、溜水部１４と横方向流路２５との間に設けられている。また、ポンプ室３２の出口３２ｂは、排水トラップ管路１２の内部の溜水面Ｗｔの鉛直方向下方近傍領域に配置されている。ポンプ室３２の入口３２ａは、横方向に開口され、ポンプ室３２の出口３２ｂは上方向に開口されるように配置されている。
【００３５】
これらの構成の全部又は一部を含むことにより、圧送装置２０の作動停止時に圧送装置２０のポンプ室３２、インペラ３４及び回転軸３６の一部に付着した汚物が剥離したとき、剥離した汚物は、ポンプ室３２の上部の出口３２ｂから上昇し、排水トラップ管路１２の入口１２ｂから上昇管１２ａを上昇するので、剥離した汚物が圧送装置２０のポンプ室３２等から溜水部１４の溜水面Ｗ０に浮き上がることが阻止される。従って、これらの構成の全部又は一部は、剥離した汚物が溜水部１４の溜水面Ｗ０に浮き上がることを阻止するような規制機構として作用している。
また、剥離した汚物が、ポンプ室３２の中央部の入口３２ａから横方向に延びる横方向流路２５に流出しにくくされている。従って、剥離した汚物が圧送装置２０のポンプ室３２等から溜水部１４の溜水面Ｗ０に浮き上がることが阻止する。このような構成も、規制機構として作用している。
【００３６】
さらに、圧送装置２０のポンプ室３２等から浮き上がる汚物は、ポンプ室３２の上部の出口３２ｂから上昇され、排水トラップ管路１２の入口１２ｂから上昇管１２ａを上昇され、排水トラップ管路１２の内部の溜水面Ｗｔに導かれる。このような構成も、規制機構として作用している。
また、仮に、剥離した汚物がポンプ室３２の中央部の入口３２ａから溜水部側の横方向流路２５に流れてしまった場合においても、フィルタ２２により剥離した汚物の通過を抑制することができる。なお、一度フィルタ２２を通過した汚物であっても、ポンプ室３２内で汚物同士が絡み合って（例えば汚物中に含まれるペーパー等の繊維が絡み合う等して）汚物が再び大きくなる場合があり、このような汚物もフィルタ２２により通過を規制することができる。このような構成も、規制機構として作用している。
【００３７】
なお、規制機構において、縦置きのインペラ３４を内部に配置するようにポンプ室３２を配置し、このポンプ室３２の上方に排水トラップ管路１２を配置している。インペラ３４は、水平方向に延びる回転軸３６を中心として縦置きに配置されたインペラである。インペラ３４の軸方向の幅Ｄ１は、その半径方向の幅Ｄ２よりも低減されている。ポンプ室３２は、縦置きのインペラ３４を覆うように縦置きの円筒状に形成されている。よって、ポンプ室３２の軸方向の幅Ｄ３は、その半径方向の幅Ｄ４よりも低減されている。ポンプ室３２の出口３２ｂの幅は、排水トラップ管路１２の管径の幅Ｄ５と同じ幅に形成され、ポンプ室３２の軸方向の幅Ｄ３よりもわずかに低減されている。ポンプ室３２には縦置きにインペラ３４が配置されているので、電動モーター３８がインペラ３４の横方向に配置される。従って、横置きのインペラ３４の上方に排水トラップ管路１２の入口１２ｂを設け、圧送装置２０の電動モーター３０が横置きのインペラ３４の上又は下に配置される場合と比べて、縦置きのインペラ３４を配置する際の圧送装置２０の鉛直方向の高さを抑えることができ、便器本体２の高さを抑えることができる。よって、溜水部１４と排水トラップ管路１２との間に設けられる圧送装置２０により便器本体２の便座の高さが高くなることを防止することができる。従って、便器本体２の便座の高さが高くなることを防止する構成を採用しながらインペラ３４及びポンプ室３２から剥離した汚物を排水トラップ管路１２の溜水面に導くことができる。このような構成も、規制機構として作用している。
【００３８】
変形例として、規制機構は、横方向流路２５又は斜め上方に延びる上昇管１２ａの天井面に形成された凹部を有するように構成されていてもよい。この天井面から上方に向けて窪む凹部により浮き上がる汚物を凹部内に捕捉することができる。よって、規制機構は、浮き上がる汚物が溜水部１４の溜水面Ｗ０に浮き上がることを阻止する。このような構成も、規制機構として作用している。
さらに、変形例として、規制機構は、さらに、ポンプ室３２の出口３２ｂから排水トラップ管路１２の入口１２ｂまで斜め上方に延びる接続流路を有するように構成されていてもよい。この場合にも、ポンプ室３２の出口３２ｂの上方側に排水トラップ管路１２の入口１２ｂが配置されるので、剥離した汚物は、ポンプ室３２の出口３２ｂから接続流路を上昇し、ポンプ室３２の上方側にある排水トラップ管路１２の入口１２ｂから排水トラップ管路１２の内部の溜水面Ｗｔに導かれる。このような構成も、規制機構として作用している。
【００３９】
次に、図５乃至図１０により、上述した本発明の実施形態によるポータブルトイレ装置の動作（作用）を説明する。図５乃至図１０において、斜線部分は、洗浄水が貯留している状態を概略的に示している。
【００４０】
図５に示すように、使用者が便器本体２を使用し、汚物（大便、小便、トイレットペーパー等）Ａがボウル部１０内に入った状態となる。この状態においては、給水部４は停止された状態であり、粉砕装置１８及び圧送装置２０も停止された状態である。溜水面Ｗ１は、洗浄前の待機状態の溜水面Ｗ０よりも汚物Ａが投入されたことによりわずかに上昇している。
【００４１】
次に、図６に示すように、使用者が操作部の操作スイッチ等を操作することにより、洗浄動作が開始される。操作部の操作スイッチ等が操作されると、その操作指令が制御部２４に送信され、制御部２４が、その指令に基づいて給水部４に給水指令を送り、給水部４からボウル部１０に所定時間給水が行われ、ボウル部１０が洗浄水Ｂによって洗浄される。汚物Ａは、洗浄水Ｂにより溜水部１４中に移動された状態となる。溜水面Ｗ２は、洗浄水Ｂの給水により溜水面Ｗ１よりもさらに上昇した位置となる。依然として、粉砕装置１８及び圧送装置２０は停止された状態である。
【００４２】
次に、図７に示すように、制御部２４が、圧送装置２０を駆動させ、洗浄水Ｃを、溜水面Ｗ２の水位を溜水面Ｗ３の位置まで下げるような所定流量だけ排水させる。溜水部１４内に存在する洗浄水量が減少され、溜水部１４の溜水面が溜水面Ｗ３の位置となる。圧送装置２０の駆動中、給水部４は停止された状態のままであり、粉砕装置１８も停止された状態のままである。汚物Ａのうち所定の大きさ以上の汚物は、フィルタ２２を通過せず、溜水部１４内に留まっている。
【００４３】
次に、図８に示すように、制御部２４が、粉砕装置１８の電動モーター３０を駆動させ、回転体２６を回転させ、汚物の粉砕動作を行う。このとき、圧送装置２０は、停止された状態のままである。回転体２６の回転により、溜水部１４内で回転流が生じ、溜水部１４内で汚物が撹拌され粉砕される。給水部４は停止された状態のままである。汚物Ａは粉砕され、所定の大きさ以下の汚物ａとなる。
【００４４】
図９に示すように、汚物の粉砕が終了すると、制御部２４は、粉砕装置１８を停止させ、圧送装置２０を駆動させる。汚物ａは、フィルタ２２を通過することができる。圧送装置２０は、洗浄水及び汚物ａを排水トラップ管路１２を介して排水管１６に圧送（排出）する。溜水部１４内の洗浄水及び汚物ａはほぼ全て圧送装置２０により排出される。このようにして、溜水部１４内から汚物ａが排出される。回転体２６が圧送装置２０の上流側において汚物を粉砕し、汚物ａは比較的小さくされているので、圧送装置２０のインペラ３４及びポンプ室３２等に絡み付きにくくされ、圧送装置２０に汚物が付着しにくくされている。
【００４５】
図１０に示すように、制御部２４は、給水部４を再び作動させ、ボウル部１０に給水を行う。よって、溜水部１４内に洗浄水が貯留され、溜水面Ｗ０の溜水が形成される。このとき、粉砕装置１８及び圧送装置２０は停止された状態となっている。制御部２４は、所定流量の洗浄水が給水されると給水部４を停止させ、一連の洗浄動作を終了させる。
【００４６】
図１０に示すように、制御部２４が圧送装置２０を停止させた後、圧送装置２０を停止させた状態としているとき、圧送装置２０のポンプ室３２、インペラ３４及び回転軸３６の一部に付着した汚物ａが剥離した場合に、剥離した汚物ａは、比較的小径で軽いため、浮き上がる。この剥離した汚物ａは、規制機構の構成により、ポンプ室３２の上部の出口３２ｂから上昇し、排水トラップ管路１２の入口１２ｂから上昇管１２ａを上昇し、溜水面Ｗｔに導かれる。剥離した汚物ａは、規制機構の構成により、ポンプ室３２の中央部の入口３２ａから横方向流路２５に流出することが抑制される。仮に、剥離した汚物ａがポンプ室３２の中央部の入口３２ａから溜水部側の横方向流路２５に流れてしまった場合においても、規制機構のフィルタ２２により剥離した汚物ａの通過が抑制される。このように、規制機構は、剥離した汚物ａが圧送装置２０のポンプ室３２等から溜水部１４の溜水面Ｗ０に浮き上がることを阻止する。剥離した汚物ａが、排水トラップ管路１２の溜水面Ｗｔに導かれた場合には、剥離した汚物ａからポータブルトイレ装置１の外部に臭いを発生させることを防ぐことができる。
【００４７】
次に、上述した本実施形態によるポータブルトイレ装置１による作用効果を説明する。
本実施形態によるポータブルトイレ装置１によれば、圧送装置２０に付着した汚物ａが圧送装置２０の停止時に剥離したとき、規制機構が、剥離した汚物ａが圧送装置２０から溜水部１４の溜水面Ｗ０に浮き上がることを阻止する。従って、圧送装置２０の停止時に、汚物ａが溜水部１４の溜水面Ｗ０に浮きあがり、臭いを発生させる又は次回にポータブルトイレ装置１を使用する使用者に不快感を与えることを防ぐことができる。
【００４８】
規制機構が剥離した汚物ａが溜水面Ｗ０に浮きあがることを阻止するように流路の途中に凹部を形成する構造も検討される。本実施形態によるポータブルトイレ装置１によれば、凹部を形成する構造に比べて、この凹部に汚物が滞留したり流れの圧力損失を生じたりすることがない。従って、規制機構が圧送装置２０のインペラ３４から浮き上がる汚物ａを圧送装置２０より下流側の排水トラップ管路１２の内部の溜水面Ｗｔに導く構造において、より汚物の排出性能を高めることができる。さらに、規制機構が、剥離した汚物ａを排水トラップ管路１２の溜水面Ｗｔに導くので、溜水部１４の溜水面Ｗ０に浮き上がることを阻止することができる。
【００４９】
さらに、本実施形態によるポータブルトイレ装置１によれば、規制機構は、圧送装置２０のインペラ３４の上方に入口１２ｂを設けた排水トラップ管路１２を有する。従って、トイレ装置の構造を複雑にすることなく、比較的簡易的な構成により、規制機構が、剥離した汚物ａを排水トラップ管路１２の溜水面Ｗｔに導き、剥離した汚物ａが圧送装置２０から溜水部１４の溜水面Ｗ０に浮き上がることを阻止することができる。
【００５０】
さらに、本実施形態によるポータブルトイレ装置１によれば、圧送装置２０に付着した汚物ａが圧送装置２０の停止時に剥離したとき、仮に、剥離した汚物ａが圧送装置２０から溜水部１４側に流れてしまった場合においても、フィルタ２２が剥離した汚物ａが溜水部１４の溜水面Ｗ０に浮き上がることを阻止することができる。
【００５１】
さらに、本実施形態によるポータブルトイレ装置１によれば、規制機構は、縦置きのインペラ３４を配置するポンプ室３２と、このインペラ３４及びポンプ室３２の上方に入口１２ｂを設けた排水トラップ管路１２とを有する。従って、横置きのインペラの上方に排水トラップ管路１２の入口１２ｂを設け、圧送装置２０の電動モーター３０が横置きのインペラ３４の上又は下に配置される場合と比べて、縦置きのインペラ３４を配置する際の圧送装置２０の鉛直方向の高さを抑えることができ、便器本体２の高さを抑えることができる。よって、溜水部１４と排水トラップ管路１２との間に設けられる圧送装置２０により便器本体２の便座の高さが高くなることを防止することができる。従って、便器本体２の便座の高さが高くなることを防止する構成を採用しながらインペラ３４及びポンプ室３２から剥離した汚物ａを排水トラップ管路１２の溜水面Ｗｔに導くことができる。
【００５２】
次に、図１１及び図１２を参照して、本発明の第２実施形態によるトイレ装置について説明する。本実施形態のトイレ装置は、便所に据え付けられる水洗便器装置である点が上述した第１実施形態とは異なる。ここでは、本発明の第２実施形態の第１実施形態とは異なる点のみを説明し、同様な部分については図面に同じ参照符号を付して説明を省略する。なお、図１２において、排水トラップ管路１２内の流路をわかりやすく示すため、排水トラップ管路１２を断面により図示している。
【００５３】
図１１に示すように、第２実施形態によるトイレ装置１０１は、建物の便所に据え付けられる水洗式の便器装置である。本発明の第２実施形態によるトイレ装置１０１は、例えば、３．８リットル乃至６リットルの洗浄水で洗浄する、節水型の水洗大便器である。本発明の第２実施形態によるトイレ装置１０１は、汚物を粉砕して排出するため、比較的少ない洗浄水量により汚物を排出することができる。
【００５４】
図１２に示すように、トイレ装置１０１は、陶器製の便器本体１０２と、便器本体１０２に洗浄水を供給する給水部４とを備えている。給水部４は、建物側の給水管１０８と接続されている。給水部４は、便器本体１０２の後方上部に設けられ、ボウル部１１０に形成された吐水口１１０ｃからボウル部１１０に洗浄水を供給する。なお、給水部４は、貯水タンクから洗浄水を供給するタンク方式のものであってもよい。給水管１０８は建物に据え付けられた配管により形成される。
【００５５】
図１２に示すように、便器本体１０２は、便器本体１０２の前方側に設けられた汚物を受けるボウル部１１０と、排水トラップ管路１２と、ボウル部１０下方に形成された溜水部１１４と、を備えている。ボウル部１１０及び溜水部１１４は、陶器で形成されている。トイレ装置１０１は、ボウル部１１０の外周の下部が床Ｆに固定された据え付け型の装置である。なお、便器本体１０２は、陶器以外に、樹脂と陶器、又は樹脂のみで形成するようにしても良い。
【００５６】
排水トラップ管路１２は、建物側の排水管１１６と接続されている。粉砕された汚物は、排水トラップ管路１２から排水管１１６を介して排出される。排水管１１６は建物に据え付けられた配管により形成される。トイレ装置１０１は、汚物を粉砕した後に排出するため、排水管１１６及びさらに下流の建物の排水管の口径が比較的小さい場合にも汚物を詰まらせることなく搬送させることができる。さらに、節水化の要請により洗浄水量が低減される場合にも、汚物を排水管１１６等内で詰まらせることなく搬送させることができる。
【００５７】
第２実施形態によるトイレ装置１０１の規制機構は、第１実施形態によるポータブルトイレ装置１の規制機構の構造と同じであるので、説明を省略する。
【００５８】
第２実施形態によるトイレ装置１０１の動作についても、第１実施形態によるポータブルトイレ装置１の動作と同じであるので説明を省略する。
【００５９】
次に、本発明の第２実施形態によるトイレ装置１０１の作用を説明する。
第２実施形態によるトイレ装置１０１によれば、規制機構が、圧送装置２０に付着した汚物ａが圧送装置２０の停止時に剥離したとき、剥離した汚物ａが圧送装置２０から溜水部１４の溜水面Ｗ０に浮き上がることを阻止する。従って、圧送装置２０の停止時に、汚物ａが溜水部１４の溜水面Ｗ０に浮きあがり、臭いを発生させる又は次回にトイレ装置１０１を使用する使用者に不快感を与えることを防ぐことができる。このように、本発明のトイレ装置は、一般の据え付け型の水洗便器装置にも適用できる。
【符号の説明】
【００６０】
１      ポータブルトイレ装置
１ａ    車輪
２      便器本体
４      給水部
６      フレーム
６ｂ    フレーム基部
８      給水管
１０    ボウル部
１０ｃ  吐水口
１０ｄ  汚物受け面
１２    排水トラップ管路
１２ａ  上昇管
１２ｂ  入口
１４    溜水部
１６    排水管
１８    粉砕装置
２０    圧送装置
２２    フィルタ
２２ａ  通過開口
２４    制御部
２５    横方向流路
２６    回転体
２６ａ  突起
２６ｂ  基部
２８    回転軸
３０    電動モーター
３２    ポンプ室
３２ａ  入口
３２ｂ  出口
３４    インペラ
３４ａ  円盤部
３４ｂ  突起部
３６    回転軸
３８    電動モーター
１０１  トイレ装置
１０２  便器本体
１０８  給水管
１１０  ボウル部
１１０ｃ吐水口
１１４  溜水部
１１６  排水管
Ａ      汚物
ａ      汚物
Ｂ      洗浄水
Ｃ      洗浄水
Ｄ１    幅
Ｄ２    幅
Ｄ３    幅
Ｄ４    幅
Ｄ５    幅
Ｆ      床
Ｗ０    溜水面
Ｗ１    溜水面
Ｗ２    溜水面
Ｗ３    溜水面
Ｗｔ    溜水面
【図１】
2018204220.tif 000003
【図２】
2018204220.tif 000004
【図３】
2018204220.tif 000005
【図４】
2018204220.tif 000006
【図５】
2018204220.tif 000007
【図６】
2018204220.tif 000008
【図７】
2018204220.tif 000009
【図８】
2018204220.tif 000010
【図９】
2018204220.tif 000011
【図１０】
2018204220.tif 000012
【図１１】
2018204220.tif 000013
【図１２】
2018204220.tif 000014